(57)【特許請求の範囲】
【請求項１】
既知飛翔物体の探知を指示する軌道更新要求と未確認飛翔物体の待受けを指示する未確認飛翔物体探知要求のいずれかを作成し、既知飛翔物体または未確認飛翔物体の探知に用いるセンサの組合せを、前記軌道更新要求または前記未確認飛翔物体探知要求をもとに、レーダ及び光学望遠鏡のセンサ中から決定し、前記センサの組合せより得られた探知情報から、探知した飛翔物体の軌道情報を算出すると共に、その算出結果と飛翔物体データベースの既知飛翔物体の軌道情報とを照合し、探知した飛翔物体が既知飛翔物体であるか未確認飛翔物体であるかを識別して識別情報を作成することを特徴とする飛翔物体監視方法。
【請求項２】
前記センサの組合せは、レーダ、光学望遠鏡、および電波受信装置のセンサ中から決定することを特徴とする請求項１に記載の飛翔物体監視方法。
【請求項３】
飛翔物体を探知するレーダと、
飛翔物体を探知する光学望遠鏡と、
飛翔物体の軌道情報及び識別情報を格納する飛翔物体データベースと、
既知飛翔物体の探知を指示する軌道更新要求と未確認飛翔物体の待受けを指示する未確認飛翔物体探知要求のいずれかを作成する観測計画部と、
飛翔物体の探知に用いるセンサの組合せを、前記軌道更新要求または前記未確認飛翔物体探知要求をもとに、前記レーダ及び前記光学望遠鏡のセンサ中から決定する組合せ制御部と、
前記センサの組合せより得られた探知情報から、探知した飛翔物体の軌道情報を算出する軌道情報算出部と、
前記軌道情報算出部により算出された軌道情報と前記飛翔物体データベースの軌道情報とを照合し、探知した飛翔物体が既知飛翔物体であるか未確認飛翔物体であるかを識別して識別情報を作成する識別処理部と、
を備えたことを特徴とする飛翔物体監視装置。
【請求項４】
飛翔物体が発する電波を探知する電波受信装置を備え、
前記組合せ制御部は、前記センサの組合せを、前記レーダ、前記光学望遠鏡、および前記電波受信装置のセンサ中から決定することを特徴とする請求項３に記載の飛翔物体監視装置。
【発明の詳細な説明】
【技術分野】
【０００１】
本発明は、上空の飛翔物体の位置を高精度に検出し、その軌道情報を得るとともに識別することが可能な飛翔物体監視方法及び監視装置に関する技術である。
【背景技術】
【０００２】
近年、人工の地球周回軌道上浮遊物体であるスペースデブリや、隕石などの地球周辺の小天体に関して関心が高まっている。特に、スペースデブリは年々数が増え続けており、人工衛星が衝突する確率が増え続けている。このような衝突を避けるためには、スペースデブリや隕石、既に宇宙に存在している人工衛星の軌道を正確に把握することが求められる。また、人工衛星やスペースデブリを判別するため、宇宙の飛翔物体の高精度な軌道情報や識別情報のデータベースが必要である。
【０００３】
従来は、上空の飛翔物体を全天にわたって検出、もしくは監視する装置として、低高度に対しては、レーダが使用されている。最近、レーダを宇宙の飛翔物体に対して適用するという動向がある。例えば、警戒管制レーダでの弾道ミサイルの検出・監視が行われている。しかし、レーダによって監視できる範囲は地上からせいぜい数百キロ程度であり、低軌道の人工衛星、スペースデブリは可能であるが、高軌道あるいは静止軌道の人工衛星、スペースデブリあるいは小惑星などの天体に対しては不向きである。また、レーダ単体では、視野角が広いため飛翔物体の検出が容易だが、角度分解能が悪いため高精度な軌道情報の算出は困難である。
【０００４】
そこで、高軌道あるいは静止軌道の人工衛星、スペースデブリあるいは小惑星等の天体など天空を比較的低速に移動する物体の監視に対しては、一般的に光学望遠鏡が用いられる。角度分解能が非常に高く、天体の光学画像を得ることが可能である。
【０００５】
従来の光学望遠鏡等の光学装置を使った監視方法では、観測できる視野が非常に狭く、天空のある範囲を走査観測する必要があり、非常に長い時間がかかり、また、未知の高軌道あるいは静止軌道の人工衛星、スペースデブリあるいは小惑星に対して、観測もれが発生する可能性があるという問題があった。さらに、走査観測では、光学望遠鏡を恒星追尾モードで駆動するのが一般的ではあるが、恒星は点像として撮影され、その他の天体は、ある程度恒星との相対運動が大きければ線状の像として撮影される。しかし、相対運動が小さいときは、形状による恒星との識別が困難になるという問題もある。
【０００６】
このため、光学装置を使って自動的に観測もれを発生させずに監視する方法が提案されており、特許文献１に示される従来の飛翔物体の自動監視・検出方法と装置では、飛翔物体の自動監視・検出のため、地平線と交差する天球上の仮想線（例えば子午線）の設定範囲上を通過する物体を光学装置により観測し、該仮想線を通過した飛翔物体の画像と、該画像の観測時刻と、データ処理装置内に保持した恒星、人工衛星、小惑星等既知の天体等のデータとから、該処理装置により観測された位置、速度のデータを既知データと比較し、既知の天体のデータとそれ以外のデータに自動的に分類分けする。これにより、常時、自動的に、未知および既知の飛翔物体を検出すると共に、既知の天体および人工物体の運動を監視することができる監視・検出方法とそのための装置を実現している。
【０００７】
また、光学装置を使用して恒星とその他の天体とを識別する方法が提案されており、特許文献２に示される従来の天体観測画像中の天体の識別方式では、恒星追尾モードで連続撮影した画像を得、得られたそれぞれの画像から天体の像を抽出する手段と、該抽出した天体の像の重心位置（ｘ、ｙ）、面積ｓ、形状の特徴ａ／ｂを抽出する手段と、抽出され
た特徴、画像番号、累積カウンタをリストとして登録する手段と、既にリストに登録されていると判断されたデータに対しては、リスト中の累積カウンタ１を加算する手段とを含む。そして、主として累積カウンタの値から天体を恒星とその他の天体とを識別し、像の特徴、主として重心位置、形状などからスペースデブリを識別する。これにより、天球の広い範囲を常時監視し、観測した大量の観測画像から自動的に恒星とその他の天体の分離処理を行うことが可能な画像処理方法を実現している。
【先行技術文献】
【特許文献】
【０００８】
【特許文献１】特開２００２−２２００９９号公報
【特許文献２】特開２００２−３１０６１６号公報
【発明の概要】
【発明が解決しようとする課題】
【０００９】
しかしながら、特許文献１に示される飛翔物体の監視・検出方法においては、光学望遠鏡単体では、角度分解能が良いため軌道情報を高精度で得ることが可能だが、視野角が狭いため天空を高速な角速度で移動する飛翔物体の発見及び追尾が困難である。光学望遠鏡による静止軌道上の飛翔物体を検出する例が挙げられているが、それは静止軌道上の飛翔物体が天空を高速な角速度で移動しないためである。そのため、天空を高速な角速度で移動する飛翔物体の軌道を監視する機能を有していないといった問題があった。
【００１０】
また、特許文献２に示される天体の識別方式においては、未知の高軌道・静止軌道のスペースデブリや小惑星を識別することが可能であるが、天空を高速な角速度で移動する特定の飛翔物体に対して、光学望遠鏡単体では光学画像を得ることができず、識別することが困難であるといった問題があった。また、レーダ単体では、目標の回転運動によって生じるドップラ周波数を利用して得られる高い分解能を有する２次元画像であるＩＳＡＲ（逆合成開口レーダ：Ｉｎｖｅｒｓｅ  Ｓｙｎｔｈｅｔｉｃ  Ａｐｅｒｔｕｒｅ  Ｒａｄｅｒ）画像の作成は技術的に可能であるが、計画的に軌道情報と関連づけてデータベース化する技術は存在していなかった。
【００１１】
以上、記載したように、従来技術では宇宙に存在する人工衛星及びスペースデブリについての高精度な軌道情報や識別を可能とするような詳細なデータベース、及びその作成装置は存在しなかった。
【００１２】
本発明は、上記のような問題を解決するためになされたものであり、天空を高速な角速度で移動する人工衛星やスペースデブリ等の飛翔物体に対しても、高精度な軌道情報を得ることができるとともに、恒星とその他の飛翔物体とを識別することが可能な飛翔物体監視方法及び監視装置を提供することを目的としている。
【課題を解決するための手段】
【００１３】
上記課題を解決するために、本発明の飛翔物体監視方法は、既知飛翔物体の探知を指示する軌道更新要求と未確認飛翔物体の待受けを指示する未確認飛翔物体探知要求のいずれかを作成し、既知飛翔物体または未確認飛翔物体の探知に用いるセンサの組合せを、前記軌道更新要求または前記未確認飛翔物体探知要求をもとに、レーダ及び光学望遠鏡のセンサ中から決定し、前記センサの組合せより得られた探知情報から、探知した飛翔物体の軌道情報を算出すると共に、その算出結果と飛翔物体データベースの既知飛翔物体の軌道情報とを照合し、探知した飛翔物体が既知飛翔物体であるか未確認飛翔物体であるかを識別して識別情報を作成することを特徴とするものである。
【００１４】
また、上記課題を解決するために、本発明の飛翔物体監視装置は、飛翔物体を探知するレーダと、飛翔物体を探知する光学望遠鏡と、飛翔物体の軌道情報及び識別情報を格納する飛翔物体データベースと、既知飛翔物体の探知を指示する軌道更新要求と未確認飛翔物体の待受けを指示する未確認飛翔物体探知要求のいずれかを作成する観測計画部と、飛翔物体の探知に用いるセンサの組合せを、前記軌道更新要求または前記未確認飛翔物体探知要求をもとに、前記レーダ及び前記光学望遠鏡のセンサ中から決定する組合せ制御部と、前記センサの組合せより得られた探知情報から、探知した飛翔物体の軌道情報を算出する軌道情報算出部と、前記軌道情報算出部により算出された軌道情報と前記飛翔物体データベースの軌道情報とを照合し、探知した飛翔物体が既知飛翔物体であるか未確認飛翔物体であるかを識別して識別情報を作成する識別処理部と、を備えたことを特徴とするものである。
【発明の効果】
【００１５】
本発明によれば、レーダ及び光学望遠鏡を組み合わせて監視することにより、レーダ単体、光学望遠鏡単体では困難であった周回衛星等の低高度かつ高速な宇宙の飛翔物体に対しても高精度な軌道情報及び既知飛翔物体であるか未確認飛翔物体であるかを識別する識別情報を提供することが可能であるといった顕著な効果を奏するものである。
【図面の簡単な説明】
【００１６】
【図１】実施の形態における飛翔物体監視装置の構成を示す機能ブロック図である。
【図２】実施の形態における飛翔物体監視装置の観測全体のフェーズを示すフローチャートである。
【図３】実施の形態における飛翔物体監視装置の観測計画策定から観測準備フェーズを示すフローチャートである。
【図４】実施の形態における飛翔物体監視装置の観測フェーズを示すフローチャートである。
【図５】実施の形態における飛翔物体監視装置の各センサの探知処理フェーズを示すフローチャートである。
【図６】実施の形態における飛翔物体監視装置の観測後フェーズを示すフローチャートである。
【図７】実施の形態における飛翔物体監視装置の軌道更新処理フェーズを示すフローチャートである。
【図８】実施の形態における飛翔物体監視装置の識別処理フェーズを示すフローチャートである。
【発明を実施するための形態】
【００１７】
以下、本発明の実施の形態に係る飛翔物体監視装置について図１から図８に基づいて説明する。
【００１８】
図１において、飛翔物体監視装置３１は、天空の飛翔物体３２の観測開始を指示する観測計画部１と、軌道予測部３と、観測計画部１からの軌道更新要求１７をもとに軌道予測部３に軌道予測要求１９を出し、軌道予測部３の計算結果である予測軌道情報２０と未確認飛翔物体探知要求１８からレーダ４、光学望遠鏡６及び電波受信装置７のセンサ中から各センサの組み合わせを決定し、各センサを制御する組合せ制御部２と、組合せ制御部２からのレーダ制御情報２１により飛翔物体３２を探索するレーダ４と、レーダ４が探知したリアルタイム探知情報２９から軌道計算するリアルタイム制御部５と、組合せ制御部２からの望遠鏡制御情報２２とリアルタイム制御部５の軌道計算からのリアルタイム制御情報３０とにより飛翔物体３２を探知する光学望遠鏡６と、組合せ制御部２からの電波受信制御情報２３により飛翔物体３２を探知し、飛翔物体３２から発せられる電波を受信する電波受信装置７と、レーダ４と光学望遠鏡６のレーダ探知情報２４と望遠鏡探知情報２５とから軌道情報を算出する軌道情報算出部８と、軌道情報算出部８と軌道情報１３をやり取りし、観測計画部１に軌道情報１３及び識別情報１４と識別結果１５を提供し、軌道予測部３に軌道情報１３を提供する飛翔物体データベース１１と、レーダ４と光学望遠鏡６と電波受信装置７から送出されたレーダ識別情報２６と望遠鏡識別情報２７と電波受信識別情報２８とから判定した識別情報１４を飛翔物体データベース１１に登録する識別情報付加部９と、外部軌道情報１６と飛翔物体データベース１１から軌道情報１３と識別情報１４を使用して識別を実施し、識別結果１５を飛翔物体データベース１１に登録する識別処理部１０と、観測計画部１と識別処理部１０と軌道予測部３に外部軌道情報１６を提供する外部情報１２と、により構成されている。
【００１９】
次に、実施の形態における飛翔物体監視装置の動作について、図１を参照して、各構成部分のそれぞれの機能、動作の詳細を説明する。
【００２０】
観測計画部１は、飛翔物体データベース１１もしくは外部情報１２に登録されている飛翔物体３２を探知・識別する目的で軌道更新要求１７を作成し、組合せ制御部２に通知する。また、未確認の飛翔物体３２を待ち受ける目的で未確認飛翔物体探知要求１８を作成し、組合せ制御部２に通知する。
例えば、飛翔物体データベース１１の軌道情報１３、もしくは外部情報１２の外部軌道情報１６から、観測したい飛翔物体３２を選択する。選択の際、識別情報１４や識別結果１５がある場合は、選択の参考とすることを可能とする。選択した飛翔物体３２の軌道更新時間、軌道更新優先度、要求精度、要求識別情報を入力し、軌道更新要求１７として組合せ制御部に通知する。周期的に軌道を更新するために、周期的に軌道更新要求１７を自動作成することを可能とする。また、待受方位、待受方位幅、待受仰角、待受仰角幅、待受距離、待受距離幅を入力し、未確認飛翔物体探知要求１８として組合せ制御部２に通知する。
【００２１】
組合せ制御部２は、観測計画部１からの軌道更新要求１７、及び未確認飛翔物体探知要求１８に従い、レーダ制御情報２１をレーダ４に、望遠鏡制御情報２２を光学望遠鏡６に電波受信装置制御情報２３を電波受信装置７に通知する。
例えば、軌道更新要求１７の選択飛翔物体番号と軌道更新時間から軌道予測要求１９を作成し、軌道予測部３に通知する。軌道予測部３からの予測軌道情報２０に基づいて、要求精度や要求識別情報を満たすように、軌道更新優先度の順番に従って、レーダ４、光学望遠鏡６、電波受信装置７の各センサの組合せを決定し、レーダ制御情報２１、望遠鏡制御情報２２、電波受信装置制御情報２３を各センサに通知する。
【００２２】
軌道予測部３は、組合せ制御部２からの軌道予測要求１９に従って飛翔物体データベース１１の軌道情報１３、及び外部情報１２の外部軌道情報１６から予測軌道を計算し、予測軌道情報２０を組合せ制御部２に通知する。
例えば、軌道予測要求１９に含まれる選択飛翔物体番号を使用して、飛翔物体データベース１１の軌道情報１３もしくは外部情報１２の外部軌道情報１６から、該当する軌道を検索する。当該軌道に摂動係数が含まれている場合は、軌道の観測時間と軌道予測要求１９の軌道更新時間との時間間隔に摂動係数を乗じて補正量を計算し、補正された軌道６要素を計算する。補正された軌道６要素を用いて各センサの位置および観測可能な領域から飛翔物体を観測できる時間を算出し、センサ毎の観測可能時間とする。ただし、光学望遠鏡６の観測可能時間は、太陽と地球と飛翔物体３２の位置関係から、飛翔物体３２に対して太陽光が照射され、観測可能であることを考慮する。その後、摂動係数が含まれている場合は、センサ毎の観測可能時間における補正量を計算し、補正された軌道６要素を再度計算する。軌道精度は、軌道の観測時間からの時間経過による精度劣化を計算する。なお、大型のソーラパネルを持つ軽量な人工衛星などの場合は、太陽風による摂動が大きいため、太陽風の影響を考慮することを可能とする。例えば、ソーラパネルの大きさ、重量、太陽放射の反射係数を入力可能とし、太陽や軌道、衛星の位置関係から補正量を計算し、軌道６要素の算出時に補正をかける方法が考えられる。
【００２３】
レーダ４は、レーダ制御情報２１に従って飛翔物体３２をレーダ観測し、飛翔物体３２を探知したら直ちにリアルタイム探知情報２９をリアルタイム制御部５に通知する。また、レーダ探知情報２４を軌道情報算出部８に通知する。さらに、レーダ識別情報２６を識別情報付加部９に通知する。
例えば、レーダ制御情報２１に含まれる待受の指示に従って、飛翔物体３２を待ち受ける。飛翔物体３２を探知した場合は、レーダ制御情報２１に含まれる補正された軌道６要
素と相関の有無を判定し、相関がある場合は、選択飛翔物体番号と飛翔物体の時刻と飛翔物体の位置と飛翔物体の位置精度をリアルタイム探知情報２９としてリアルタイム制御部５に直ちに通知する。選択飛翔物体番号と飛翔物体の時刻と飛翔物体の位置と飛翔物体の位置精度は、任意のタイミングでレーダ探知情報２４として軌道情報算出部８にも通知する。また、レーダ制御情報２１の識別要否で識別要となっていた場合は、観測と同時にＩＳＡＲ画像を取得し、選択飛翔物体番号とＩＳＡＲ画像をレーダ識別情報２６として任意のタイミングで識別情報付加部９に通知する。補正された軌道６要素と相関がない場合は、未確認飛翔物体として飛翔物体の時刻と飛翔物体の位置と飛翔物体の位置精度をレーダ探知情報１７として任意のタイミングで軌道情報算出部８に通知する。
【００２４】
リアルタイム制御部５は、光学望遠鏡６に精度の高い飛翔物体の位置を通知する目的で、レーダ４から受信するリアルタイム探知情報２９をもとに軌道６要素を算出し、リアルタイム制御情報３０を光学望遠鏡６に通知する。
例えば、リアルタイム探知情報２９の飛翔物体の時刻と飛翔物体の位置を複数使用して、軌道６要素を算出する。また、飛翔物体３２の位置精度から軌道精度を計算して、光学望遠鏡６の観測視野角を算出する。上記で算出された軌道６要素、観測視野角を選択飛翔物体番号と共にリアルタイム制御情報３０として光学望遠鏡６に通知する。通知するタイミングは、観測視野角が一定以下、つまり軌道の精度が一定以上となった時とする。
【００２５】
光学望遠鏡６は、望遠鏡制御情報２２、及びリアルタイム制御情報３０に従って飛翔物体３２を光学画像として観測し、得られた望遠鏡探知情報２５を軌道情報算出部８に通知する。また、望遠鏡識別情報２７を識別情報付加部９に通知する。
例えば、望遠鏡制御情報２２に含まれる補正された軌道６要素、観測開始時刻、観測終了時刻、観測視野角に従って飛翔物体３２を探索する。リアルタイム制御情報３０を受信した場合は、リアルタイム制御情報３０に含まれる選択飛翔物体番号の飛翔物体３２をこれから探知する予定の場合に、補正された軌道６要素と観測視野角についてリアルタイム制御情報３０のものにオーバーライド可能とする。すでに探知している、もしくは観測予定にない選択飛翔物体番号の場合は、受信したリアルタイム制御情報３０を破棄する。飛翔物体３２を探知した場合は、望遠鏡制御情報２２に含まれる補正された軌道６要素、及びリアルタイム制御情報３０の軌道６要素と相関の有無を判定し、相関がある場合は、選択飛翔物体番号と飛翔物体の時刻と飛翔物体の位置と飛翔物体の位置精度を望遠鏡探知情報２５として軌道情報算出部８に任意のタイミングで通知する。また、望遠鏡制御情報２２の識別要否で識別要となっていた場合は、観測と同時に光学画像を取得し、選択飛翔物体番号と光学画像を望遠鏡識別情報２７として、任意のタイミングで識別情報付加部９に通知する。軌道６要素と相関がない場合は、未確認飛翔物体として飛翔物体の時刻と飛翔物体の位置と飛翔物体の位置精度を任意のタイミングで軌道情報算出部８に通知する。
【００２６】
電波受信装置７は、電波受信装置制御情報２３に従って飛翔物体３２から発せられる信号データを収集、解析し、電波受信装置識別情報２８として識別情報付加部９に通知する。
例えば、電波受信装置制御情報２３に含まれる補正された軌道６要素、観測開始時刻、観測終了時刻に従って飛翔物体３２を探索する。信号データが得られた場合は、選択飛翔物体番号と信号データを電波受信装置識別情報２８として任意のタイミングで識別情報付加部９に通知する。
【００２７】
軌道情報算出部８は、レーダ探知情報２４、及び望遠鏡探知情報２５を用いて軌道情報１３を算出し、飛翔物体データベース１１を更新する。
例えば、同一の選択飛翔物体番号の飛翔物体について、レーダ探知情報２４及び望遠鏡探知情報２５に含まれる飛翔物体の時刻、飛翔物体の位置、飛翔物体の位置精度から軌道６要素を算出する。算出した軌道６要素について、飛翔物体データベースの軌道情報１３
に含まれる軌道６要素、摂動係数、軌道精度を考慮して相関がある場合、軌道情報１３を更新する。摂動係数は飛翔物体データベースの軌道６要素と算出した軌道６要素と時間間隔を使用して、単位時間当たりの摂動係数を計算する。軌道精度は、レーダ探知情報２４、望遠鏡制御情報１３に含まれる飛翔物体の位置精度やデータの個数を使用して算出する。選択飛翔物体番号が未確認飛翔物体を意味する特別に定められた番号であった場合、レーダ探知情報２４、望遠鏡探知情報２５の中から相関のあるものを抽出して軌道６要素を算出する。算出した軌道６要素について、飛翔物体データベース１１の軌道情報１３に含まれる軌道６要素、摂動係数、軌道精度を考慮して相関がある場合、飛翔物体データベース１１を更新する。相関がない場合、軌道６要素を新規の軌道情報１３として飛翔物体データベース１１に登録する。なお、人工衛星の場合、ロケットモータを使用して軌道の変更を行うことがあり、自動で相関がとれない場合があるため、手動など別の方法による相関を可能とする。その場合、摂動係数の更新は行わない。また、軌道予測部３と同様に、大型のソーラパネルを持つ軽量な人工衛星の場合の太陽風による摂動を考慮することを可能とする。
【００２８】
識別情報付加部９は、レーダ識別情報２６のＩＳＡＲ画像、望遠鏡識別情報２７の光学画像、電波受信装置識別情報２８の信号データを、飛翔物体データベース１１の当該飛翔物体番号の識別情報１４に登録する。
【００２９】
識別処理部１０は、飛翔物体データベース１１の軌道情報１３、識別情報１４、外部情報１２の外部軌道情報１６を使用して、当該飛翔物体３２が何であるかを識別し、識別結果１５を飛翔物体データベース１１に登録する。
【００３０】
飛翔物体データベース１１は、飛翔物体毎に軌道情報１３、識別情報１４、識別結果１５を保存可能なデータベースである。
【００３１】
外部情報１２は、外部軌道情報１６を保存可能なデータベースである。
【００３２】
次に、データの内容について説明する。
軌道情報１３は、飛翔物体番号、軌道６要素、摂動係数、軌道精度を含む情報である。飛翔物体番号とは本装置内で飛翔物体を一意に特定するために割り振られる番号である。軌道６要素とは衛星の軌道やある時刻における位置を一意に特定できる表現であり、例えば、昇交点赤径、軌道傾斜角、軌道長半径、離心率、近地点引数、近地点通過時刻である。摂動係数とは、軌道６要素の摂動を規定する係数で、例えば、Ｊ２項による摂動、月／太陽による摂動、大気抵抗による摂動を規定する。軌道精度とは飛翔物体が一定以上の確率で存在する領域の表現で、観測した器材の位置、精度、探知回数により算出される。
【００３３】
識別情報１４は、飛翔物体番号、ＩＳＡＲ画像、光学画像、信号データを含む情報である。
【００３４】
識別結果１５とは、飛翔物体番号、飛翔物体の種類、飛翔物体の活動内容、衛星名称、外部情報との相関結果を含む情報である。飛翔物体の種類は、例えば、周回衛星、スペースデブリ、ミサイル等である。飛翔物体の活動内容とは、例えば、通信、偵察等である。
【００３５】
外部軌道情報１６とは飛翔物体の軌道やある時刻における位置を含む情報であり、例えば、ＴＷＯ  ＬＩＮＥ  ＥＬＥＭＥＮＴがある。ここで、ＴＷＯ  ＬＩＮＥ  ＥＬＥＭＥＮＴとは、ケプラー軌道要素を２行で記述するテキスト形式のフォーマットであり、軌道６要素と等価な軌道情報の他、衛星名、国際識別番号などを付加した情報が記述されている。ＴＷＯ  ＬＩＮＥ  ＥＬＥＭＥＮＴは、地球を周回しているすべての飛翔物体をモニターしているアメリカ航空宇宙局（ＮＡＳＡ）や北アメリカ航空宇宙防衛司令部（ＮＯＲ
ＡＤ）が現在でも使用しており、インターネットで公開されている。
【００３６】
軌道更新要求１７は、選択飛翔物体番号、軌道更新時間、軌道更新優先度、要求精度、要求識別情報を含む情報である。要求識別情報にはＩＳＡＲ画像、光学画像、信号データがある。
【００３７】
未確認飛翔物体探知要求１８は、待受方位、待受方位幅、待受仰角、待受仰角幅、待受距離、待受距離幅を含む情報である。
【００３８】
軌道予測要求１９は、選択飛翔物体番号、軌道更新時間を含む情報である。
【００３９】
予測軌道情報２０は、選択飛翔物体番号、補正された軌道６要素、軌道精度、センサ毎に観測可能時間を含む情報である。なお、センサとは、レーダ４、光学望遠鏡６、電波受信装置７をまとめた呼称である。
【００４０】
レーダ制御情報２１は、選択飛翔物体番号、補正された軌道６要素、待受開始時刻、待受終了時刻、待受方位、待受方位幅、待受仰角、待受仰角幅、待受距離、待受距離幅、識別要否を含む情報である。
【００４１】
望遠鏡制御情報２２は、選択飛翔物体番号、補正された軌道６要素、観測開始時間、観測終了時間、観測視野角、識別要否を含む情報である。
【００４２】
電波受信装置制御情報２３は、選択飛翔物体番号、補正された軌道６要素、観測開始時間、観測終了時間を含む情報である。
【００４３】
レーダ探知情報２４は、選択飛翔物体番号、飛翔物体の時刻、飛翔物体の位置、飛翔物体の位置精度を含む情報である。
【００４４】
望遠鏡探知情報２５は、選択飛翔物体番号、飛翔物体の時刻、飛翔物体の位置、飛翔物体の位置精度を含む情報である。
【００４５】
レーダ識別情報２６は、選択飛翔物体番号、ＩＳＡＲ画像を含む情報である。
【００４６】
望遠鏡識別情報２７は、選択飛翔物体番号、光学画像を含む情報である。
【００４７】
電波受信装置識別情報２８は、選択飛翔物体番号、信号データを含む情報である。
【００４８】
リアルタイム探知情報２９は、選択飛翔物体番号、飛翔物体の時刻、飛翔物体の位置、飛翔物体の位置精度を含む情報である。
【００４９】
リアルタイム制御情報３０は、選択飛翔物体番号、軌道６要素、観測視野角を含んだ情報である。
【００５０】
図２から図８に飛翔物体監視方法及び飛翔物体監視装置の運用を説明するフローチャートを示す。
【００５１】
角度分解能が良く軌道情報を高精度で得ることが可能な光学望遠鏡であるが、視野角が狭いため天空を高速な角速度で移動する飛翔物体の発見及び追尾が困難であるという欠点を視野角が広く飛翔物体の検出が容易なレーダと組み合わせることにより、レーダの欠点である高軌道あるいは静止軌道の人工衛星、スペースデブリあるいは小惑星などの天体に
対しても角度分解能が良く高精度な軌道情報の算出が可能であり、高速な角速度で移動する飛翔物体の発見及び追尾も容易となる。
【００５２】
このように、実施の形態における飛翔物体監視方法及び監視装置では、レーダ、光学望遠鏡及び電波受信装置を組み合わせて飛翔物体を監視することにより、レーダ単体、光学望遠鏡単体では困難であった周回衛星等の低高度かつ高速な宇宙の飛翔物体の高精度な軌道情報及び識別情報を有するデータベースの作成が可能であり、人工衛星が他の人工衛星やスペースデブリとの衝突を避ける情報を提供することが可能となるとともに、人工衛星であるかスペースデブリであるか等の識別が可能となるといった顕著な効果を奏するものである。
【００５３】
なお、上記のレーダ制御情報、各探知情報、各識別情報の選択飛翔物体番号は、未確認飛翔物体に関する場合は、特別に定められた番号とする。
【００５４】
また、上記実施の形態で、軌道を決定するものとして軌道６要素としているが、一例であり、軌道を特定できるものであれば飛翔物体の時刻と位置と速度などを使用しても良い。
【００５５】
また、レーダ４、光学望遠鏡６、電波受信装置７については、複数台で構成することも可能である。
【符号の説明】
【００５６】
１  観測計画部、２  組合せ制御部、３  軌道予測部、４  レーダ、
５  リアルタイム制御部、６  光学望遠鏡、７  電波受信装置、
８  軌道情報算出部、９  識別情報付加部、１０  識別処理部、
１１  飛翔物体データベース、１２  外部情報、１３  軌道情報、１４  識別情報、
１５  識別結果、１６  外部軌道情報、１７  軌道更新要求、
１８  未確認飛翔物体探知要求、１９  軌道予測要求、２０  予測軌道情報、
２１  レーダ制御情報、２２  望遠鏡制御情報、２３  電波受信装置制御情報、
２４  レーダ探知情報、２５  望遠鏡探知情報、２６  レーダ識別情報、
２７  望遠鏡識別情報、２８  電波受信装置識別情報、
２９  リアルタイム探知情報、３０  リアルタイム制御情報
３１  飛翔物体監視装置、３２  飛翔物体
【図１】
0005421810.tif 000002
【図２】
0005421810.tif 000003
【図３】
0005421810.tif 000004
【図４】
0005421810.tif 000005
【図５】
0005421810.tif 000006
【図６】
0005421810.tif 000007
【図７】
0005421810.tif 000008
【図８】
0005421810.tif 000009